【手続補正書】
【提出日】平成22年5月26日(2010.5.26)
【手続補正１】
【補正対象書類名】特許請求の範囲
【補正対象項目名】請求項８
【補正方法】変更
【補正の内容】
【請求項８】
前記嗜好関連情報は、視聴している放送番組を表す情報、視聴した放送番組の履歴を表す履歴情報、録画した放送番組の識別情報、視聴予約している放送番組を表す情報、録画予約している放送番組を表す情報、あるいは前記指定したカスタマイズ情報の履歴を表す情報のうちの少なくともいずれか１つを含む情報であることを特徴とする請求項７に記載の推薦情報提供サーバ。
【手続補正２】
【補正対象書類名】特許請求の範囲
【補正対象項目名】請求項１１
【補正方法】変更
【補正の内容】
【請求項１１】
推薦情報取得方法であって、
指定された画面表示または音声出力のカスタマイズ情報を取得する第１の過程と、
前記取得したカスタマイズ情報に基づき画面表示または音声出力する第２の過程と、
前記取得したカスタマイズ情報を識別する情報に対応付けられた推薦情報を、推薦情報提供サーバから取得する第３の過程と、
前記取得した推薦情報を画面表示または音声出力により視聴者に通知する第４の過程と
を備えることを特徴とする推薦情報取得方法。
【手続補正３】
【補正対象書類名】特許請求の範囲
【補正対象項目名】請求項１２
【補正方法】変更
【補正の内容】
【請求項１２】
推薦情報提供方法であって、
画面表示または音声出力のカスタマイズ情報を識別する情報を、受信する第１の過程と、
前記第１の過程にて受信したカスタマイズ情報を識別する情報に対応付けて記憶部が記憶する推薦情報を読み出す第２の過程と、
前記第２の過程にて読み出した推薦情報を提供する第３の過程と
を備えることを特徴とする推薦情報提供方法。
【手続補正４】
【補正対象書類名】特許請求の範囲
【補正対象項目名】請求項１３
【補正方法】変更
【補正の内容】
【請求項１３】
コンピュータを、
指定された画面表示または音声出力のカスタマイズ情報を取得するカスタマイズ情報取得部、
前記取得したカスタマイズ情報に基づき画面表示または音声出力するカスタマイズ情報反映部、
前記取得したカスタマイズ情報を識別する情報に対応付けられた推薦情報を、推薦情報提供サーバから取得する推薦情報取得部、
前記取得した推薦情報を画面表示または音声出力により視聴者に通知する推薦情報反映部
として機能させるプログラム。
【手続補正５】
【補正対象書類名】特許請求の範囲
【補正対象項目名】請求項１４
【補正方法】変更
【補正の内容】
【請求項１４】
コンピュータを、
画面表示または音声出力のカスタマイズ情報を識別する情報に対応付けて推薦情報を記憶する推薦情報記憶部、
画面表示または音声出力のカスタマイズ情報を識別する情報を受信するカスタマイズ情報識別情報受信部、
前記カスタマイズ情報識別情報受信部で受信したカスタマイズ情報を識別する情報に対応付けて推薦情報記憶部が記憶する推薦情報を読み出し、該読み出した推薦情報を返信する推薦情報提供部
として機能させるプログラム。
【手続補正６】
【補正対象書類名】明細書
【補正対象項目名】００２４
【補正方法】変更
【補正の内容】
【００２４】
本明細書中における、カスタマイズ情報とは、放送番組などのコンテンツ以外に関するデジタルテレビ装置の表示出力や音声出力といった、視聴者がデジタルテレビ装置から受ける出力を決める情報のことを言い、例えば、表示画面を装飾するフレーム、操作性、メニュー構成、アイコン、効果音、推薦情報、ウィジェットのことを言う。ウィジェットは簡易的なアプリケーションのことを言い、例えば、スケジュール、天気予報、ウェブカメラ映像の表示、ゲーム、株価、占い、写真のことを言う。
また、本発明における、嗜好関連情報とは、カスタマイズ情報を反映させる時にデジタルテレビ装置が保持している視聴者の嗜好に関連する関連情報のことを言い、視聴中の放送信号識別情報、視聴予約や録画予約から成る予約情報、蓄積しているカスタマイズ情報のことを言う。
また、本発明における、推薦情報とは、カスタマイズ情報と共に反映させるカスタマイズ情報に関する推薦情報のことを言い、番組ランキング、番組情報から構成されるスケジュール、蓄積しているカスタマイズ情報のランキングのことを言う。
【手続補正７】
【補正対象書類名】明細書
【補正対象項目名】００３２
【補正方法】変更
【補正の内容】
【００３２】
嗜好関連情報管理部１０９は、カスタマイズ情報操作部１０５から受けたカスタマイズ情報ＩＤ、取得する推薦情報の種類、デジタルテレビＩＤ、推薦情報提供サーバ３００のＵＲＬ（Uniform Resource Locator）を保持し、送信する嗜好関連情報を放送信号識別情報記録部１０８、カスタマイズ情報記録部１０４、予約情報記録部１１４から取得し、該嗜好関連情報とカスタマイズ情報ＩＤとデジタルテレビＩＤとの推薦情報提供サーバ３００のＵＲＬへの送信を嗜好関連情報送信部１１０に指示する。嗜好関連情報送信部１１０は、嗜好関連情報管理部１０９から送信を指示された情報を、指示された推薦情報提供サーバ３００のＵＲＬに送信する。推薦情報取得部１１１は、定期的に推薦情報提供サーバ３００から推薦情報を取得する機能を有する。すなわち、嗜好関連情報管理部１０９から受けたカスタマイズ情報ＩＤ、デジタルテレビＩＤ、取得する推薦情報の種類を定期的に推薦情報提供サーバ３００のＵＲＬへ送信し、送信したカスタマイズ情報ＩＤに対応付けられ、かつ、送信した種類の推薦情報をその応答として受信する。なお、本実施形態では、推薦情報の取得は推薦情報取得部１１１が定期的に行なうとして説明したが、視聴者による推薦情報取得の指示操作を受け付けて、推薦情報取得部１１１が推薦情報の種類を推薦情報提供サーバ３００のＵＲＬへ送信し、その応答として推薦情報を受信するようにしてもよい。推薦情報記録部１１２は、推薦情報取得部１１１が受信した推薦情報を記録する。推薦情報反映部１１３は、推薦情報記録部１１２で記録されている推薦情報を反映部１０６に出力する。予約情報管理部１１４は、ユーザ操作部１１５からの放送番組の視聴予約、録画予約の操作を受けて、視聴予約情報、録画予約情報を記録する。
【手続補正８】
【補正対象書類名】明細書
【補正対象項目名】００３８
【補正方法】変更
【補正の内容】
【００３８】
図６は、嗜好関連情報管理部１０９が備える管理テーブルの例を示す図である。嗜好関連情報管理部１０９は、その管理テーブルに、自装置を識別するためのデジタルテレビＩＤ１０９−１（図６では、ＩＰアドレス「１００．１１１．１２３．４」）をあらかじめ保持している。その他に、嗜好関連情報管理部１０９は、その管理テーブルに、選択されて反映中のカスタマイズ情報のカスタマイズ情報ＩＤ１０９−２（図６では、「Ｃｄｍｉｔｔｙ３」）、該カスタマイズ情報に対応付けられた推薦情報提供サーバＵＲＬ１０９−３（図６では、推薦情報提供サーバ３００のＩＰアドレス「１１１．１００．２００．３００」）、嗜好関連情報の項目名と図５の画面にて設定された送信する項目の内容１０９−４（図６では、項目名「嗜好関連情報（放送信号識別情報）」に「ｃａｒｔｏｏｎ２５５」）、１０９−５（図６では、項目名「嗜好関連情報（予約情報）」にデータなしを意味する「Ｎｕｌｌ」）、１０９−６（図６では、項目名「嗜好関連情報（カスタマイズ情報）」にデータなしを意味する「Ｎｕｌｌ」）、図５の画面にて設定された取得する推薦情報の種類１０９−７（図６では、「ランキング（リアルタイム）」）を保持する。図６の例では、図５の画面にて設定された送信する項目として視聴中の放送信号識別情報を保持し、反映中のカスタマイズ情報に関連付けられた嗜好関連情報として管理する。このように嗜好関連情報及び推薦情報の種類は図５で選択された項目から構成される。
【手続補正９】
【補正対象書類名】明細書
【補正対象項目名】００４７
【補正方法】変更
【補正の内容】
【００４７】
図１４は、推薦情報提供サーバ３００における、推薦情報生成処理を示したフローチャートである。ステップＳ３５０では、嗜好関連情報受信部３０２がデジタルテレビ装置１〜３からカスタマイズ情報に関連付けられた嗜好関連情報を受信したか否かを判定する。ステップＳ３５０の判定処理にて、受信したと判定したときはステップＳ３５１へ進み、受信していないと判定したときはステップＳ３５０へ戻る。ステップＳ３５１では、カスタマイズ情報毎嗜好関連情報分類部３０３が嗜好関連情報受信部３０２で受信した嗜好関連情報を、カスタマイズ情報毎に分類する。次に、ステップＳ３５２では、カスタマイズ情報毎嗜好関連情報分類部３０３は、嗜好関連情報を、分類したカスタマイズ情報毎に嗜好関連情報記憶部３０４に記憶する。次に、ステップＳ３５３では、推薦情報生成部３０５が嗜好関連情報記憶部３０４が記憶しているカスタマイズ情報毎の嗜好関連情報を視聴者の所望する形態、例えばランキング形式に生成し、推薦情報を生成する。次に、ステップＳ３５４では、推薦情報生成部３０５は生成した推薦情報を推薦情報管理部３０６に記録する。